(57)【要約】【課題】発射ハンドルに接触する遊技者を検知する人体センサを備えながら、遊技者の視覚を楽しませるための視覚効果を発揮する。【解決手段】発射ハンドル１８に設置される人体センサが発射ハンドル１８に接触する遊技者を検知した場合に回動部３０の回動部本体３２に対する遊技者による操作を有効と判断して、回動部本体３２を時計回りに回せば発射装置の発射力を強める操作となり、この回転を反時計回りに戻せば発射力を弱める操作となる。本実施形態では、回動部本体３２の外周部に導電性フィルム３２ｃが貼付されており、回動部本体３２が人体を検知するための人体センサの検出接点として機能する。このことにより、透明な導電性フィルムである導電性フィルム３２ｃを通して回動部本体３２の外表面の色調や色彩、模様などが視認可能となり、人体センサを備えながら遊技者の視覚を楽しませるための視覚効果を発揮する。【選択図】図２
2014023763.tif 000002
【特許請求の範囲】
【請求項１】
発射装置を操作するために遊技者によって回動操作されるリングを備えて弾球遊技機に装着される発射ハンドルにおいて、
当該発射ハンドルの外表面に設置されて当該発射ハンドルに接触する前記遊技者を検知する人体センサを備え、
前記人体センサは、透明な導電性フィルムによって構成されること
を特徴とする発射ハンドル。
【請求項２】
請求項１に記載の発射ハンドルにおいて、
前記導電性フィルムは、当該発射ハンドルの外表面に貼り付けられていることを特徴とする発射ハンドル。
【請求項３】
請求項１に記載の発射ハンドルにおいて、
前記導電性フィルムは、当該発射ハンドルの外表面にインサート成形によって一体化されていることを特徴とする発射ハンドル。
【請求項４】
請求項１〜請求項３の何れか１項に記載の発射ハンドルにおいて、
前記導電性フィルムは、前記リングの外表面に設置されることを特徴とする発射ハンドル。
【請求項５】
請求項４に記載の発射ハンドルにおいて、
前記導電性フィルムは、前記リングの外表面のうち前記リングを把持する遊技者の指が掛かる部分である指掛けに設置されることを特徴とする発射ハンドル。
【発明の詳細な説明】
【技術分野】
【０００１】
本発明は、弾球遊技機に装着される発射ハンドルの技術分野に属する。
【背景技術】
【０００２】
パチンコ機等の弾球遊技機では、発射装置にて遊技球を発射して遊技盤の遊技領域に打ち出し、その遊技球の遊技領域における挙動によって遊技が行われる。
発射装置による発射力の強弱は遊技者によって操作されるのが普通であり、そのための発射ハンドルが弾球遊技機に備わっている。
【０００３】
一般に遊技者による操作はリングを介して行われる。すなわち、発射ハンドルに設置される人体センサが発射ハンドルに接触する遊技者を検知した場合にリングに対する遊技者による操作を有効と判断して、リングを時計回りに回せば発射装置の発射力を強める操作となり、この回転を反時計回りに戻せば発射力を弱める操作となる。
【０００４】
なお、上述の人体センサとしては、例えば特許文献１に記載されるように、発射ハンドルの筐体やリングがアルミコーティングされた樹脂等で形成されて、アルミコーティングが人体を検知するための接触素子（人体センサに相当）として機能するよう構成する例が挙げられる。
【０００５】
そして、発射ハンドルには、このリングの時計回り方向への回転量に応じて抵抗値が変化するボリュームが備わっており、弾球遊技機は、この抵抗値の変化を例えば電位の変化として検出し、それに基づいて発射装置の発射力を制御するようになっている。
【先行技術文献】
【特許文献】
【０００６】
【特許文献１】特開平６−３３９５５９号公報（第４頁、図４）
【発明の概要】
【発明が解決しようとする課題】
【０００７】
しかし、上述のように人体センサが発射ハンドルの筐体やリングに施されたアルミコーティングで形成される場合には、アルミコーティングされる発射ハンドルの筐体やリングの外表面の色調や色彩、模様が単調となるため、遊技者の視覚を楽しませるための視覚効果を発揮する発射ハンドルが望まれていた。
【０００８】
本発明は、このような課題に鑑みなされたものであり、その目的とするところは、接触する遊技者を検知する人体センサを備えながら、遊技者の視覚を楽しませるための視覚効果を発揮する発射ハンドルを提供することにある。
【課題を解決するための手段】
【０００９】
上記課題を解決するためになされた請求項１に係る発射ハンドルは、発射装置を操作するために遊技者によって回動操作されるリングを備えて弾球遊技機に装着される発射ハンドルにおいて、当該発射ハンドルの外表面に設置されて当該発射ハンドルに接触する前記遊技者を検知する人体センサを備え、前記人体センサは、透明な導電性フィルムによって構成されることを特徴とする。
【００１０】
このように構成された本発明の発射ハンドルによれば、人体センサが透明な導電性フィルムによって構成され、当該発射ハンドルの外表面に設置されるので、透明な導電性フィルムを通して当該発射ハンドルの外表面の色調や色彩、模様などが視認可能となる。したがって、当該発射ハンドルに接触する遊技者を検知する人体センサを備えながら、遊技者の視覚を楽しませるための視覚効果を発揮することができる。
【００１１】
また、本発明の発射ハンドルによれば、人体センサが透明な導電性フィルムによって構成されるので、当該発射ハンドルの外表面を透光性にして内部に発光体を設置すれば、斬新な電飾効果を発揮させることができる。
【００１２】
なお、導電性フィルムの当該発射ハンドル外表面への設置方法としては、請求項２のように当該発射ハンドルの外表面に貼り付けることや、請求項３のように当該発射ハンドルの外表面にインサート成形によって一体化することなどが挙げられる。
【００１３】
また、導電性フィルムの当該発射ハンドルへの設置場所としては、請求項４のようにリングの外表面が挙げられる。さらに、導電性フィルムを、請求項５のようにリングの外表面のうちリングを把持する遊技者の指が掛かる部分である指掛けにのみ設置することも考えられる。
【００１４】
このように構成された本発明の発射ハンドルによれば、遊技者による回動操作を検知する構成と当該発射ハンドルに接触する遊技者を検知する構成（人体センサ）とがリングに集中して配置され、両者への配線を束ねたり両者を制御するための回路基板を共通化したりするなど当該発射ハンドルの内部構造を単純化することができる。また、導電性フィルムを指掛けに設置すれば、導電性フィルムが設置される場所を必要最小限に抑えることができる。また、導電性フィルムをリング外表面全体に設置する場合に比べて導電性フィルムの必要量が少なくて済む。したがって、当該発射ハンドルの製造コストを低減することができる。
【図面の簡単な説明】
【００１５】
【図１】パチンコ機１の正面図（ａ）および側面図（ｂ）
【図２】発射ハンドル１８の正面図（ａ）、側面図（ｂ）
【図３】Ａ−Ａ断面図
【図４】Ｂ−Ｂ断面図
【図５】発射ハンドル１８の背面図
【図６】発射ハンドル１８の概略構成図（背面側）
【発明を実施するための形態】
【００１６】
以下に本発明の実施形態を図面とともに説明する。
［１．パチンコ機１の構成の説明］
図１に示す弾球遊技機としてのパチンコ機１は、払出装置（図示省略）から払い出された遊技球を発射装置（図示省略）から発射して遊技領域（図示省略）に転動させて遊技を行う遊技機である。
【００１７】
このパチンコ機１の前面部には、窓枠２、上皿扉３、下部ユニット４が上から順に配されている。
窓枠２はヒンジにて中枠７に連結されていて、扉状に開閉可能である。窓枠２には円形の窓８が設けられているが、この窓８は窓枠２の背面部に取り付けられたガラス板にて閉鎖されている。一方、中枠７は周知の遊技盤（図示省略）を保持しており、窓枠２の窓８（ガラス板）を通して遊技盤を視認できる。
【００１８】
上皿扉３も、窓枠２と同様にヒンジにて中枠７に連結されていて、扉状に開閉可能である。上皿扉３の前面部には球皿である上皿１０が取り付けられている。
下部ユニット４は中枠７の前面部に固定されており、その前面には灰皿１６、球皿である下皿１７、発射ハンドル１８が取り付けられている。
【００１９】
このように中枠７は窓枠２、上皿扉３、下部ユニット４を支承しているが、自身もヒンジによって外枠１９に連結されていて扉状に開閉可能である。
［２．発射ハンドル１８の構成の説明］
次に、本発明が適用された発射ハンドル１８の構成について説明する。
【００２０】
図２に示すように、発射ハンドル１８は、下部ユニット４に固着される円筒形状の基筒２０と、基筒２０に回動可能に取り付けられる椀状の回動部３０（リングに相当）とから構成され、回動部３０の回動角に応じて発射装置の発射力を調節可能になっている。
【００２１】
［２．１．基筒２０の構成の説明］
基筒２０は、合成樹脂（例えばＡＢＳ）の成形品であり、下部ユニット４に固着される後部２１の径寸法よりも回動部３０が取り付けられる前部２２の径寸法の方が大きく形成された円筒形状を有している。
【００２２】
また、図３に示すように、基筒２０の前部２２の内部には、回動部３０を回動可能に支持する円筒形状の基部２３が設けられている。この基部２３は、基筒２０の前部２２の外側から３本のビス２３ａを用いて基筒２０の前部２２に固定されている（図５参照）。
【００２３】
また、基筒２０の前部２２の内部には、表面に電気回路が形成された円盤状の基板２４が設けられている。
また、基筒２０の前部２２側面には、発射装置を停止させるためのスイッチであるストップスイッチ２５が取り付けられている（図４参照）。そして、ストップスイッチ２５近傍にはリミットスイッチ２９が配置されている。なお、リミットスイッチ２９は、回動部３０を基筒２０の基部２３に取り付けられ、基板２４と電気的に接続されている。ストップスイッチ２５が操作されると、リミットスイッチ２９が検知するようになっている。
【００２４】
［２．２．回動部３０の構成の説明］
回動部３０は椀状に形成され、回動部３０の頭頂部を形成するキャップ３１と、回動部３０の頭頂部以外の部分を形成する回動部本体３２と、から構成されている。
【００２５】
キャップ３１は、不透明な合成樹脂（例えばＡＢＳ）の成形品である。
回動部本体３２は、透光性の合成樹脂（例えばポリカーボネート）の成形品であり、外周部には波状に凹凸した指掛け３２ａが形成され、内部には当該回動部本体３２を基筒２０に対して回動可能とするために基筒２０の基部２３に内挿される円筒状の円筒部３２ｂが設けられている。指掛け３２ａは、回動部３０を把持する遊技者の指が掛かる部分であり、本実施形態では、回動部本体３２の３か所に上記指掛け３２ａが形成されている。
【００２６】
また、回動部本体３２の指掛け３２ａを含む外周部には透明な導電性フィルム３２ｃが貼付されており、この導電性フィルム３２ｃは、回動部本体３２を人体を検知するための人体センサの検出接点として機能させる。なお、本実施形態では、導電性フィルム３２ｃとしてＩＴＯ透明導電性フィルムを用いている。また、この導電性フィルム３２ｃは、基筒２０側の基板２４と電気的に接続されている。
【００２７】
さらに、回動部本体３２は、円筒部３２ｂが基筒２０の基部２３に軸受３３を介して摺動回転可能に挿通された状態で、円筒部３２ｂの先端にはハンドル側ギヤ３４がビス止めされてフランジ状になっており、回動部３０が基筒２０から外れないようになっている。なお、ハンドル側ギヤ３４にギヤ歯３４ａが設けられているのは、ハンドル側ギヤ３４の外周のおよそ半周にわたる範囲である（図５および図６参照）。そして、このハンドル側ギヤ３４は、基筒２０の基部２３の後端面２３ｂに回転可能に取り付けられたボリューム側ギヤ２６と噛み合っている（図５および図６参照）。このボリューム側ギヤ２６は、基筒２０の基部２３に取り付けられるボリュームユニット２７の一部である。ボリューム側ギヤ２６はボリューム２７ａの軸２７ｂに取り付けられている。なお、ボリューム２７ａは軸２７ｂの回転量に応じて抵抗値が変化する周知の可変抵抗である。そして、回動部３０を回すと円筒部３２ｂとともにハンドル側ギヤ３４が回り、それに応じてボリューム側ギヤ２６が回るので、回動部３０を回すことでボリューム２７ａの抵抗値が変化する。この変化が例えば電圧の変化として現れる回路を用いれば、回動部３０の回動量を電気信号に変換できる。
【００２８】
このとき、上述の人体センサが人体を検知していると、発射装置から、電気信号の電圧に応じた発射力で遊技球が発射される。なお、遊技球の発射中にストップスイッチ２５が操作されると、発射装置からの遊技球の発射は停止される。また、人体センサが人体を検知していない場合には、回動部３０の回動角度に拘わらず、発射装置からは遊技球は発射されない。
【００２９】
また、ボリューム側ギヤ２６の近傍には揺動爪２８が配されている。この揺動爪２８は、基部２３の後端面２３ｂに揺動可能に取り付けられている（図５および図６参照）。
また、回動部本体３２の円筒部３２ｂの先端にはねじれコイルバネ３７が装着されている。具体的には、円筒部３２ｂの先端に取り付けられたハンドル側ギヤ３４に円弧状の溝３４ｂが形成されており、この溝３４ｂにねじれコイルバネ３７が内装されている。そして、このねじれコイルバネ３７の一端が回動部３０の回動部本体３２の円筒部３２ｂの先端に連結され、他端は基筒２０の前部２２に連結されている。このことにより、ねじれコイルバネ３７は、回動部３０を図５における反時計回り方向に付勢している。
【００３０】
このため、回動部３０の回転位置は、これを回動する外力が及ぼされていないときには、ねじれコイルバネ３７の付勢力によって、上述のように規定される回転範囲の上記反時計回り方向の限度（以下、「原点」ともいう）にされる。したがって、回動部３０は、原点と上述のように規定される回転範囲の上記時計回り方向の限度（以下、「回転限度」ともいう）との間で時計回り、反時計回りに回動可能である。なお、ハンドル側ギヤ３４とボリューム側ギヤ２６との歯合については、回動部３０が原点から回転限度までの範囲にある限りは維持されるようになっている。そして、回動部３０が回転限度まで回動すると、回動部３０は揺動爪２８に係止されてその回転角度を維持できるようになっている。
【００３１】
また、回動部本体３２の頭部に形成された頭頂面３２ｄには、ＬＥＤ３５が取り付けられており、このＬＥＤ３５を覆うようにキャップ３１がビス３６を用いて頭頂面３２ｄに取り付けられている。このＬＥＤ３５は、基筒２０側の基板２４と電気的に接続されており、回動部３０の回動具合や発射装置からの遊技球の発射具合などに応じてＬＥＤ３５を点灯することができる。ＬＥＤ３５を点灯すると、その光は回動部３０の内壁面で様々に反射されてキャップ３１から放射され、様々な電飾効果を発揮することができる。
【００３２】
［３．実施形態の効果］
（１）このように本実施形態の発射ハンドル１８によれば、回動部３０の回動部本体３２の外周部にはＩＴＯ透明導電性フィルムが貼付されており、回動部本体３２が人体を検知するための人体センサの検出接点として機能する。このことにより、透明な導電性フィルムであるＩＴＯ透明導電性フィルムを通して回動部本体３２の外表面の色調や色彩、模様などが視認可能となる。したがって、当該発射ハンドル１８に接触する遊技者を検知する人体センサを備えながら、遊技者の視覚を楽しませるための視覚効果を発揮することができる。
【００３３】
（２）また、本実施形態の発射ハンドル１８によれば、回動部本体３２の外表面を透光性にして内部に発光体を設置すれば、斬新な電飾効果を発揮させることができる。
（３）また、本実施形態の発射ハンドル１８によれば、遊技者による回動操作を検知する構成と当該発射ハンドル１８に接触する遊技者を検知する構成とが回動部本体３２に集中して配置され、両者への配線を束ねたり両者を制御するための回路基板を共通化したりするなど当該発射ハンドル１８の内部構造を単純化することができる。
【００３４】
［４．他の実施形態］
以上、本発明の一実施形態について説明したが、本発明は上記実施形態に限定されるものではなく、以下のような様々な態様にて実施することが可能である。
【００３５】
（１）上記実施形態では、ＩＴＯ透明導電性フィルムが回動部本体３２の外周部に貼付されており、回動部本体３２が人体を検知するための人体センサの検出接点として機能するが、これには限られず、キャップ３１など回動部３０の回動部本体３２以外の部分にＩＴＯ透明導電性フィルムを貼付して、人体センサの検出接点として機能するようにしてもよい。このように構成しても上記実施形態の作用効果を奏する。
【００３６】
（２）また、ＩＴＯ透明導電性フィルムを回動部本体３２の指掛け３２ａのみに貼付するようにしてもよい。このように構成すれば、ＩＴＯ透明導電性フィルムが設置される場所を必要最小限に抑えることができる。また、ＩＴＯ透明導電性フィルムを回動部本体３２の外表面全体に設置する場合に比べてＩＴＯ透明導電性フィルムの必要量が少なくて済む。したがって、当該発射ハンドル１８の製造コストを低減することができる。
【００３７】
（３）また、ＩＴＯ透明導電性フィルムを、回動部本体３２の外周部にインサート成形で一体化してもよい。このように構成すれば、ＩＴＯ透明導電性フィルムを回動部本体３２の外周部に貼り付ける場合に比べて、貼り付けるための組み付け工数を不要とすることができる。
【符号の説明】
【００３８】
１…パチンコ機、２…窓枠、３…上皿扉、４…下部ユニット、７…中枠、８…窓、１０…上皿、１６…灰皿、１７…下皿、１８…発射ハンドル、１９…外枠、２０…基筒、２１…基筒の後部、２２…基筒の前部、２３…基筒の基部、２３ａ…ビス、２３ｂ…基部の後端面、２４…基板、２５…ストップスイッチ、２６…ボリューム側ギヤ、２７…ボリュームユニット、２７ａ…ボリューム、２７ｂ…軸、２８…揺動爪、２９…リミットスイッチ、３０…回動部、３１…キャップ、３２…回動部本体、３２ａ…指掛け、３２ｂ…円筒部、３２ｃ…導電性フィルム、３２ｄ…頭頂面、３３…軸受、３４…ハンドル側ギヤ、３４ａ…ギヤ歯、３４ｂ…溝、３６…ビス、３７…コイルバネ
【図１】
2014023763.tif 000003
【図２】
2014023763.tif 000004
【図３】
2014023763.tif 000005
【図４】
2014023763.tif 000006
【図５】
2014023763.tif 000007
【図６】
2014023763.tif 000008